(57)【要約】【課題】呼吸用温湿度交換器内に結露が発生するのを抑制して呼気ガスに含まれる湿気の回収率が向上して患者に供給される吸気ガスの湿気を増加させ、呼吸用温湿度交換器を長時間にわたって使用した場合でも温湿度交換能の低下や通気抵抗の増大が発生し難い呼吸用温湿度交換器の温度調整構造及びそれに用いるジャケットを提供すること。【解決手段】ハウジング３と、患者側プラグ２Ａと、呼吸回路側プラグ２Ｂとを備えた呼吸用温湿度交換器２の温度調整構造１であって、前記ハウジング３を気密に被覆するとともに、気管内チューブ５と患者側プラグ２Ａとが接続される患者側接続部Ｋ、及び呼吸回路７と呼吸回路側プラグ２Ｂとが接続される呼吸回路側接続部Ｌで固定され、ハウジング３の周囲に外気と遮断された空間を形成するジャケット１Ａを備えることを特徴とする。【選択図】図１
2008006067.tif 000002
【特許請求の範囲】
【請求項１】
ハウジング内に湿熱蓄積体が設けられ、前記ハウジングに気管内チューブ又は気管切開チューブに接続自在される患者側プラグと、呼吸回路に接続自在にされる呼吸回路側プラグとを備えた呼吸用温湿度交換器の温度調整構造であって、
前記ハウジングを気密に被覆するとともに、
前記気管内チューブ又は気管切開チューブと前記患者側プラグとが接続される患者側接続部、及び前記呼吸回路と呼吸回路側プラグとが接続される呼吸回路側接続部で固定され、
前記ハウジングの周囲に外気と遮断された空間を形成するジャケットを備えることを特徴とする呼吸用温湿度交換器の温度調整構造。
【請求項２】
請求項１記載の温度調整構造に用いられるジャケットであって、
中央部にいずれかの前記プラグが通るための開口孔が形成されたシート状の被覆部材を備え、
前記被覆部材の外周部及び前記開口孔の周囲には、すぼめることで、前記患者側接続部及び前記呼吸回路側接続部に固定するための巾着が設けられていることを特徴とするジャケット。
【請求項３】
請求項１記載の温度調整構造に用いられるジャケットであって、
中央部にいずれかの前記プラグが通るための開口孔が形成されたシート状の被覆部材を備え、
前記開口孔には前記患者側又は前記呼吸回路側のいずれか一方のプラグを挿入状態で固定するための固定リングが設けられるとともに、
すぼめることにより、前記患者側又は前記呼吸回路側のいずれか他方の接続部に固定するための巾着が設けられていることを特徴とするジャケット。
【請求項４】
請求項１記載の温度調整構造に用いられるジャケットであって、
筒状被覆部材を備え、前記筒状被覆部材の胴部は前記ハウジングより大きく形成されるとともに、
前記筒状被覆部材の開口端部には、前記開口端部を縮径して前記患者側接続部及び前記呼吸回路側接続部に固定するための弾性収縮部材又は巾着が設けられていることを特徴とするジャケット。
【請求項５】
請求項１記載の温度調整構造に用いられるジャケットであって、
前記ハウジングが収納自在に前記ハウジングよりも大きなサイズに成形された被覆部材を備え、
前記被覆部材には、患者側プラグ及び前記呼吸回路側プラグを挿入状態で固定するための固定リングが設けられるとともに、
胴部には前記呼吸用温湿度交換器を出し入れするための開口部が形成され、かつ前記開口部を閉塞するための閉塞手段が設けられていることを特徴とするジャケット。
【請求項６】
請求項２から請求項５のいずれかに記載のジャケットであって、
前記被覆部材は、２重構造になっていることを特徴とするジャケット。
【請求項７】
請求項２から請求項６に記載のジャケットであって、
前記被覆部材で被覆したときにできる空間に、温度調整用の流体を導入するための導入口を備えていることを特徴とするジャケット。
【発明の詳細な説明】
【技術分野】
【０００１】
この発明は、麻酔器、人工呼吸器等を患者に用いられるにあたって吸気ガスの温度、湿度を保持するために用いる呼吸用温湿度交換器の温度を調整する温度調整構造及びそれに用いられるジャケットに関するものである。
【背景技術】
【０００２】
手術時に患者と麻酔器を接続して麻酔ガスの供給する場合や、患者と人工呼吸器等を接続して呼吸を補助する場合において、患者側と麻酔器又は人工呼吸器等とを気管内チューブ又は気管切開チューブを介して接続し患者に吸気ガスを供給するとともに呼気ガスを排出可能とする人工呼吸方法が実用化されている。
このように患者等に対して吸気ガスを人工的に供給する場合、人工呼吸器等から供給される吸気が乾燥しているために、患者の気管が乾燥され、粘膜等が傷付くために患者に痛みや不快感が生じる場合がある。
【０００３】
そのため、気管内チューブ又は気管切開チューブと、麻酔器又は人工呼吸器等との間に湿熱蓄積体が収納された呼吸用温湿度交換器を配置して、患者の呼気ガスに含まれる湿気を保持するとともに、吸気が呼吸用温湿度交換器を反対方向に通過する際に吸気に湿気を還元して吸気に湿気が含まれるようにする技術が実用化されている（例えば、特許文献１参照。）。
【特許文献１】特開昭６１−２８０８７１号公報
【発明の開示】
【発明が解決しようとする課題】
【０００４】
このように構成された呼吸用温湿度交換器は、湿熱蓄積体等の性能の向上にともない、湿熱蓄積体で呼気の湿気の約９５％を回収することで、吸気ガスに湿気を安定して供給することが可能になってきている。しかしながら、呼吸用温湿度交換器内で結露する約５％の湿気は回収することが困難であるため、長時間の使用によって貯留した結露が湿熱蓄積体を目詰まりさせることにより温湿度交換能の低下や通気抵抗の増大をきたすという問題があった。
【０００５】
本発明は、このような事情を考慮してなされたものであり、呼吸用温湿度交換器の放熱を抑制して温度を維持することで、呼吸用温湿度交換器内に結露が発生するのを抑制して呼気ガスに含まれる湿気の回収率が向上することで、患者に供給される吸気ガスの湿気を増加させ、呼吸用温湿度交換器を長時間にわたって使用した場合でも温湿度交換能の低下や通気抵抗の増大が発生し難い呼吸用温湿度交換器の温度調整構造及びそれに用いるジャケットを提供することにある。
【課題を解決するための手段】
【０００６】
上記のような課題を解決するために、請求項１に記載の発明は、ハウジング内に湿熱蓄積体が設けられ、前記ハウジングに気管内チューブ又は気管切開チューブに接続自在される患者側プラグと、呼吸回路に接続自在にされる呼吸回路側プラグとを備えた呼吸用温湿度交換器の温度調整構造であって、  前記ハウジングを気密に被覆するとともに、前記気管内チューブ又は気管切開チューブと前記患者側プラグとが接続される患者側接続部、及び前記呼吸回路と呼吸回路側プラグとが接続される呼吸回路側接続部で固定され、前記ハウジングの周囲に外気と遮断された空間を形成するジャケットを備えることを特徴とする。
【０００７】
この発明に係る呼吸用温湿度交換器の温度調整構造によれば、呼吸用温湿度交換器がジャケットにより気密に被覆されるとともに、患者側接続部及び呼吸回路側接続部でジャケットに固定されるので、呼吸用温湿度交換器全体を覆い易く、患者側接続部及び呼吸回路側接続部以外での熱伝導が抑制される。その結果、呼吸用温湿度交換器からの放熱が抑制され、呼吸用温湿度交換器の温度を容易に維持することができ、呼吸用温湿度交換器の温度を約３５〜３６℃に維持することでハウジング内で湿気が結露するのが抑制され、呼気ガスに含まれる湿気の回収率が向上して吸気ガスの湿気を維持することが容易になる。
【０００８】
請求項２に係る発明は、請求項１記載の温度調整構造に用いられるジャケットであって、中央部にいずれかの前記プラグが通るための開口孔が形成されたシート状の被覆部材を備え、前記被覆部材の外周部及び前記開口孔の周囲には、すぼめることで、前記患者側接続部及び前記呼吸回路側接続部に固定するための巾着が設けられていることを特徴とする。
【０００９】
この発明に係る呼吸用温湿度交換器の温度調整構造に用いられるジャケットによれば、中央部に前記プラグを通すための開口孔が形成されたシート状の被覆部材を備え、被覆部材の外周部及び開口孔の周囲には、患者側接続部及び呼吸回路側接続部に固定するための巾着が設けられているため、コード部材を引張って巾着をすぼめることで、被覆部材を呼吸用温湿度交換器に容易に固定することができる。
また、被覆部材がシート状であるため、収納性が高く取扱いが容易である。
【００１０】
請求項３に係る発明は、請求項１記載の温度調整構造に用いられるジャケットであって、中央部にいずれかの前記プラグが通るための開口孔が形成されたシート状の被覆部材を備え、前記開口孔には前記患者側又は前記呼吸回路側のいずれか一方のプラグを挿入状態で固定するための固定リングが設けられるとともに、すぼめることにより、前記患者側又は前記呼吸回路側のいずれか他方の接続部に固定するための巾着が設けられていることを特徴とする。
【００１１】
この発明に係る呼吸用温湿度交換器の温度調整構造に用いられるジャケットによれば、開口孔に患者側プラグ又は呼吸回路側プラグの一方を挿入状態で固定するための固定リングが設けられているので、ジャケットをプラグに容易かつ確実に固定でき、ジャケット内の空気を外気とを容易に遮断することができる。また、巾着をすぼめることにより被覆部材を他方のプラグに容易に被せて呼吸用温湿度交換器に容易に固定することができる。
【００１２】
請求項４に係る発明は、請求項１記載の温度調整構造に用いられるジャケットであって、筒状被覆部材を備え、前記筒状被覆部材の胴部は前記ハウジングより大きく形成されるとともに、前記筒状被覆部材の開口端部には、前記開口端部を縮径して前記患者側接続部及び前記呼吸回路側接続部に固定するための弾性収縮部材又は巾着が設けられていることを特徴とする。
【００１３】
この発明に係る呼吸用温湿度交換器の温度調整構造に用いられるジャケットによれば、筒状被覆部材から構成され、胴部がハウジングより大きく形成されているので、呼吸用温湿度交換器を収納し易く、呼吸用温湿度交換器と被覆部材との間に空間を形成させ易い。また、開口端部に開口端部を縮径するための弾性収縮部材又は巾着が設けられているので、呼吸用温湿度交換器を患者側接続部及び呼吸回路側接続部に容易に固定することができ、ジャケット内の空間を外気と遮断して、呼吸用温湿度交換器から外気への放熱を抑制することができる。
【００１４】
請求項５に係る発明は、請求項１記載の温度調整構造に用いられるジャケットであって、前記ハウジングが収納自在に前記ハウジングよりも大きなサイズに成形された被覆部材を備え、前記被覆部材には、患者側プラグ及び前記呼吸回路側プラグを挿入状態で固定するための固定リングが設けられるとともに、胴部には前記呼吸用温湿度交換器を出し入れするための開口部が形成され、かつ前記開口部を閉塞するための閉塞手段が設けられていることを特徴とする。
【００１５】
この発明に係る呼吸用温湿度交換器の温度調整構造に用いられるジャケットによれば、被覆部材が呼吸用温湿度交換器のハウジングよりも大きなサイズに成形され、胴部に呼吸用温湿度交換器を出し入れするための開口部が形成されているので、呼吸用温湿度交換器の出し入れを容易に行なうことができる。
また、被覆部材には、患者側プラグ及び前記呼吸回路側プラグを挿入状態で固定するための固定リングが設けられているので、呼吸用温湿度交換器の固定を容易かつ確実に行なうことができ、外気との間により高い気密性を得ることが可能である。
【００１６】
請求項６に係る発明は、請求項２から請求項５のいずれかに記載のジャケットであって、前記被覆部材は、２重構造になっていることを特徴とする。
【００１７】
この発明に係る呼吸用温湿度交換器の温度調整構造に用いられるジャケットによれば、被覆部材が２重構造とされているので、２重構造部分に空気を封入することができ、呼吸用温湿度交換器とジャケットとの間に確実に間隙を形成させることで熱伝導を低下させて、呼吸用温湿度交換器から外気への放熱を減少させることができる。
【００１８】
請求項７に係る発明は、請求項２から請求項６に記載のジャケットであって、前記被覆部材で被覆したときにできる空間に、温度調整用の流体を導入するための導入口を備えていることを特徴とする。
【００１９】
この発明に係る呼吸用温湿度交換器の温度調整構造に用いられるジャケットによれば、被覆部材で被覆しているときにできる空間に、温度調整用の流体を導入するための導入口を備えているので、温度調整用の流体をジャケット内に導入して呼吸用温湿度交換器の温度を所望の温度に調整することができる。
【発明の効果】
【００２０】
本発明に係る呼吸用温湿度交換器の温度調整構造及びその構造に用いられるジャケットによれば、呼吸用温湿度交換器の放熱を抑制して温度を維持することで、呼吸用温湿度交換器内に結露が発生するのを抑制して呼気ガスに含まれる湿気の回収率を向上させることができる。
その結果、患者に供給される吸気ガスに含まれる湿気を維持して、呼吸用温湿度交換器を長時間にわたって使用した場合でも、温湿度交換能の低下や通気抵抗の増大を軽減することができる。
【発明を実施するための最良の形態】
【００２１】
以下、本発明の実施形態について、図面を参照して説明する。
図１は、この発明の呼吸用温湿度交換器の温度調整構造の一実施形態を示す図であり、符号１００は人工呼吸回路を、符号１は温度調整構造を、符号１Ａは温度調整構造に用いられるジャケットを示している。なお、ジャケット１Ａは断面で示されている。
【００２２】
人工呼吸回路１００は、呼吸用温湿度交換器２と、患者に接続される気管内チューブ（又は気管切開チューブ）５と、呼吸回路７と、図示しない人工呼吸器とを備えている。
呼吸用温湿度交換器２は、ハウジング３と、気管内チューブ５が接続自在とされる患者側プラグ２Ａと、呼吸回路７が接続される呼吸回路側プラグ２Ｂとを備えており、ハウジング３内には図示しない湿熱蓄積体が設けられている。
気管内チューブ５の端部には、コネクタ５Ａが形成され、コネクタ５Ａを呼吸用温湿度交換器２の患者側プラグ２Ａのテーパ孔に挿入して、呼吸用温湿度交換器２と接続可能とされている。
【００２３】
呼吸回路７は、吸気チューブ８と、呼気チューブ９とを備えており、呼吸回路７の一方側の端部にはコネクタ７Ａが形成され、呼吸用温湿度交換器２の呼吸回路側プラグ２Ｂ外周のテーパが、コネクタ７Ａのテーパ孔に挿入されることで呼吸用温湿度交換器２と接続可能とされており、吸気チューブ８と呼気チューブ９とは、コネクタ７Ａ側でひとつの流路に合流するようになっている。
また、呼吸回路７は、吸気チューブ８と、呼気チューブ９を介して、例えば人工呼吸器に接続されている。
【００２４】
呼吸用温湿度交換器２の温度調整構造１は、温度調整用のジャケット１Ａを備えており、ジャケット１Ａは、呼吸用温湿度交換器２のハウジング３を気密に被覆するとともに、気管内チューブ（又は気管切開チューブ）５と患者側プラグ２Ａとが接続される患者側接続部Ｋ、及び呼吸回路７と呼吸回路側プラグ２Ｂとが接続される呼吸回路側接続部Ｌで固定され、ハウジング３の周囲に外気と遮断された空間が形成されるようになっている。
ここで、患者側接続部Ｋは、概ね患者側プラグ２Ａの基端部からコネクタ５Ａの基端部近傍までの２点鎖線で示した部分を、呼吸回路側接続部Ｌは、概ね呼吸回路側プラグ２Ｂの基端部からコネクタ７Ａの基端部近傍までの２点鎖線で示した部分であり、その全体又は一部により構成されている。
【００２５】
人工呼吸回路１００は、人工呼吸器側の吸気用バルブ（図示せず）が開かれると、人工呼吸器から吸気ガスＩが、吸気チューブ８、呼吸用温湿度交換器２、及び気管内チューブ５を通って患者に供給され、人工呼吸器側の呼気用バルブ（図示せず）が開かれると、患者の呼気ガスＥが、気管内チューブ５、呼吸用温湿度交換器２、及び呼気チューブ９を通って排出されるようになっている。
このとき、呼気ガスＥに含まれた湿気の多くは、呼吸用温湿度交換器２を通過するときにハウジング３内に設けられた湿熱蓄積体によって捕捉され、吸気ガスＩが呼吸用温湿度交換器２を通じて供給されるときに吸気ガスＩに還元されて、患者に供給されるようになっている。
【００２６】
この実施の形態に係る呼吸用温湿度交換器２の温度調整構造１によれば、呼吸用温湿度交換器２がジャケット１Ａにより気密に被覆され、ジャケット１Ａが患者側接続部Ｋ及び呼吸回路側接続部Ｌにて呼吸用温湿度交換器２に固定されるので、呼吸用温湿度交換器２を容易に覆うことができ、ジャケット１Ａと呼吸用温湿度交換器２の間に形成される空間によって呼吸用温湿度交換器２から外気への熱伝導が抑制される。その結果、呼吸用温湿度交換器２からの放熱が抑制され、呼吸用温湿度交換器２の温度を容易に維持することができる。特に、呼吸用温湿度交換器の温度を約３５〜３６℃に維持した場合、ハウジング３内での結露するのが抑制され、呼気ガスに含まれる湿気の回収率がほぼ１００％近くまで向上して、その湿気を吸気ガスに還元することで吸気ガスの湿気を呼気ガスと同じレベルに維持することができる。
【００２７】
図２は、呼吸用温湿度交換器２の温度調整構造１に用いる第１の実施形態に係るジャケット１０を示す図である。
ジャケット１０は、中央部に呼吸用温湿度交換器２のプラグ２Ａ又は２Ｂを通すための開口孔１４が形成された略円形に形成されたシート状の被覆部材１２を備えており、被覆部材１２の外周部には第１の巾着１６が設けられ、開口孔１４の周囲には第２の巾着２０が設けられている。
【００２８】
また、被覆部材１２は、例えば、厚さが１０〜２００μｍの変形自在なポリエチレン製のシートからなり、それらを２枚重ねにして２重構造１２Ｂとされ、例えば、第１の巾着の径方向内方かつ第２の巾着の径方向外方に空気が封入、保持され、ジャケット１０の裏表間の熱伝導が抑制されるようになっている。
２重構造としては、例えば、同じ大きさの２枚のシートを重ね合わせて第１の巾着及び第２の巾着の部分を接着又は溶着して２重構造の内部を気密にし、又は、第１の巾着の径方向内方と第２の巾着の径方向外方で接着又は溶着して、接着又は溶着部分以外に空気を保持させてもよい。
なお、被覆部材１２は、内部が観察容易である点で透明であることが好適である。
【００２９】
第１の巾着１６は、被覆部材１２の外周部に形成され周方向に配置された複数の小孔１７と、この小孔１７を通り被覆部材１２の表側と裏側で往復する環状のコード部材１８と、小孔１７を通過するコード部材１８の長さを変化させるための調整部１８Ａと、この小孔１７を通過する部分のコード部材１８の長さを保持するためのコードアジャスタ１９とを備えており、調整部１８Ａを引っ張って、小孔１７を通過する部分のコード部材１８の長さを短くして被覆部材１２の外周部を縮径することで、被覆部材１２の外周部をすぼめるようになっている。
【００３０】
第２の巾着２０は、被覆部材１２の中央部に形成された開口孔１４の周囲に形成され周方向に配置された複数の小孔２１と、この小孔２１を通り被覆部材１２の表側と裏側で往復する環状のコード部材２２と、小孔２１を通過するコード部材２２の長さを変化させるための調整部２２Ａと、この小孔２１を通過する部分のコード部材２２の長さを保持するためのコードアジャスタ２３とを備えており、調整部２２Ａを引っ張って、小孔２１を通過する部分のコード部材２２の長さを短くして被覆部材１２の外周部を縮径することで、被覆部材１２の開口部をすぼめるようになっている。
【００３１】
巾着１６、２０については、被覆部材１２の外周部、開口孔１４の周囲に形成された複数の小孔１７、２１を通じて環状のコード部材１８、２２が被覆部材１２の表側と裏側で往復する場合について説明したが、被覆部材１２の外周部、開口孔１４の周囲にコード部材１８、２２を環状に収納可能な収納筒を延在させて巾着１６、２０を構成してもよい。
【００３２】
以下に、このジャケット１０の使用方法について説明する。
まず、呼吸用温湿度交換器２の患者側プラグ２Ａを開口孔１４に挿入し、患者側プラグ２Ａの気管内チューブ５を挿入する。
次に、第２の巾着２０の調整部２２Ａを引っ張って、小孔２１を通過する部分のコード部材２２の長さを短くして被覆部材１２の外周部を縮径することで、被覆部材１２の開口部をすぼめて、患者側接続部Ｋに固定する。
【００３３】
次いで、呼吸回路７のコネクタ７Ａに呼吸回路側プラグ２Ｂを挿入し、被覆部材１２を変形させて、呼吸用温湿度交換器２のハウジング３を覆うように被覆部材１２の外周部をすぼめ、外周部が呼吸回路側接続部Ｌに固定可能とする。
引き続き、第１の巾着１６の調整部１８Ａを引っ張って、小孔１７を通過する部分のコード部材１８の長さを短くして被覆部材１２の外周部を縮径することで、被覆部材１２の外周部をすぼめて、接続される呼吸回路側接続部Ｌに固定して、図３に示したように構成する。
【００３４】
なお、開口孔１４に呼吸回路側接続部Ｌを固定し、外周側で患者側接続部Ｋを固定してもよく、また、気管内チューブ５、呼吸回路７のコネクタ７Ａを接続するタイミングは、固定に支障がない範囲で任意である。
図３において、実線で示したジャケット１０は、患者側接続部Ｋ及び呼吸回路側接続部Ｌがともに患者側プラグ２Ａ、及び呼吸回路側プラグ２Ｂのそれぞれの基端部側とされた場合を、２点鎖線で示したジャケット１０は、患者側接続部Ｋ及び呼吸回路側接続部Ｌがともに、患者側コネクタ５Ａ、呼吸回路側コネクタ７Ａ近傍の場合の一例を示したものであり、患者側接続部Ｋ及び呼吸回路側接続部Ｌにおけるそれぞれの固定部は、この発明の趣旨に沿って概ねこれらの範囲で任意に設定することが可能である。
【００３５】
第１の実施の形態に係るジャケット１０によれば、中央部に呼吸用温湿度交換器２のプラグ２Ａ又は２Bを通すための開口孔１４が形成されたシート状の被覆部材１２を備え、被覆部材１２の外周部及び開口孔１４の周囲には、患者側接続部K及び呼吸回路側接続部Ｌに固定するために、第１の巾着１６と第２の巾着２０が設けられているため、これら巾着１６、２０のコード部材１８、２２を引張って巾着をすぼめることで、被覆部材１２を呼吸用温湿度交換器２に容易に固定することができる。
また、被覆部材１２が２重構造１２ａとされているので、呼吸用温湿度交換器２と被覆部材１２の外表面との間に一定の間隙を確実に保持して放熱を抑制することができる。
シート状であるため、収納性が高く、取扱いが容易である。
また、被覆部材１２を透明とした場合、内部を容易に観察することができる。
【００３６】
図４は、この発明の第２の実施の形態を示すものである。
この実施の形態が、前述した第１の実施形態と異なる点は、開口孔１４に第２の巾着２０に代えて、呼吸用温湿度交換器２の患者側プラグ２Ａ又は呼吸回路側プラグ２Ｂを固定するための固定リング２５を設けた点である。
他は、上記第１の実施の形態と同様である。なお、上記の実施の形態と同一の部分については、同一の符号を付し、その説明を省略する。
【００３７】
固定リング２５は、図４（ｂ）の断面図に示すとおりであり、外側リング２５Ａと、内側リング２５Ｂとを備え、開口孔１４において、外側リング２５Ａと内側リング２５Ｂの間に被覆部材１２を挟み込んだ状態で外側リング２５Ａに内側リング２５Ｂを嵌挿させることで、被覆部材１２の開口孔１４に固定されている。
また、内側リング２５Ｂには、軸線に沿って呼吸器側コネクタ７Ａの外周を挿入して固定するためのテーパ２５Ｔが形成されている。
【００３８】
また、固定リング２５には、ジャケット１０で呼吸用温湿度交換器２を覆ったときに、呼吸用温湿度交換器２とジャケット１０の間に形成される空間に、温度調整用の流体（例えば、加温された空気や、その他のガス等）を導入するための導入口２５Ｈが被覆部材１２を貫通して形成されている。
この第２の実施の形態のジャケット１０においては、固定リング２５のテーパ２５Ｔに呼吸器側コネクタ７Ａを挿入し、その後、呼吸器側コネクタ７Ａの内周に形成されたテーパに呼吸回路側プラグ２Ｂの外周に形成されたテーパを挿入する。
その後、被覆部材１２で呼吸用温湿度交換器２を覆うとともに、第１の巾着１６によって、患者側接続部Ｋを固定して、図５に示すように構成する。
【００３９】
第２の実施の形態に係るジャケット１０によれば、開口孔１４に患者側プラグ２Ａ又は呼吸回路側プラグ２Ｂの一方を挿入状態で固定するための固定リング２５が設けられているので、ジャケット１０をプラグ２Ａ又は２Ｂに、容易かつ確実に固定でき、ジャケット１０内の空気を外気と容易に遮断することができる。
また、固定リング２５に温度調整用の流体を導入するための導入口が設けられているので、温度調整用の流体をジャケット１０内に導入して、反対側の巾着部１６の隙間から流出させることによって呼吸用温湿度交換器２を所望の温度に調整することができる。
【００４０】
この実施の形態においては、固定リング２５が、呼吸器側コネクタ７Ａを固定する場合について説明したが、固定リング２５は患者側コネクタ５Ａを固定させてもよく、また、テーパ２５Ｔは、呼吸用温湿度交換器２の患者側プラグ２Ａ又は呼吸回路側プラグ２Ｂを挿入させるとともに、外側リング２５Ａの外周を気管内チューブ５又は呼吸回路７のコネクタ７Ａに形成されたテーパに挿入して固定する構造としてもよい。
また、上記の場合テーパ２５Ｔのテーパの向きは、挿入されるプラグ又はコネクタの形状に対応する種々の形状、テーパ、向きに対応させることができるのはいうまでもない。
【００４１】
図６は、呼吸用温湿度交換器２の温度調整構造１に用いる第３の実施形態に係るジャケット３０を示す図である。
ジャケット３０は、筒状被覆部材３２を備え、筒状被覆部材３２は、厚さが１０〜２００μｍの変形自在とされる、例えばポリエチレン製シートを筒状に形成したものであり、筒状被覆部材３２の胴部３２Ａは、呼吸用温湿度交換器２のハウジング３がジャケット３０内に配置されたときに、ハウジング３と筒状被覆部材３２との間に間隙が形成され、空間が形成されるように、内周がハウジング３よりもり大きく形成されている。
また、筒状被覆部材３２には、両端に開口端部３３Ａ、３３Ｂが形成されている。
【００４２】
また、筒状被覆部材３２は、２枚のシートから構成される２重構造３２Ｂとされ、胴部３２Ａに空気が封入、保持されるようになっており、ジャケット３０の裏表間の熱伝導が抑制されるようになっている。
２重構造としては、例えば、同じ大きさの２枚のシートを重ね合わせて開口端部３３Ａ、３３Ｂよりも中央よりの位置を接着又は溶着して２重構造の内部を気密にされている。
なお、被覆部材１２は、内部が観察容易である点で透明であることが好適である。
【００４３】
筒状被覆部材３２の開口端部３３Ａには、開口端部３３Ａを縮径して患者側接続部Ｋに固定するための巾着３５が設けられており、巾着３５は、開口端部３３Ａの周方向に延在して形成された収納筒３６と、収納筒３６に収納されることで開口端部３３Ａの周方向に保持されるコード３７と、コードアジャスタ３８とを備えており、コード３７の調整部３７Ａを引っ張って開口端部３３Ａを縮径することで患者側接続部Ｋに固定自在とされている。
【００４４】
また、開口端部３３Ｂには、開口端部３３Ｂを縮径して呼吸回路側接続部Ｌに固定するための弾性収縮部材４０が設けられており、開口端部３３Ｂの周方向に延在して形成された収納筒４１と、収納筒４１に収納されることで開口端部３３Ｂの周方向に配置される、例えば輪ゴム等の環状弾性部材４２とを備えており、環状弾性部材４２は、環径が収縮する方向に付勢され、開口端部３３Ｂを縮径して呼吸回路側接続部Ｌに固定自在とされている。
【００４５】
以下に、このジャケット３０の使用方法について説明する。
まず、呼吸回路７のコネクタ７Ａに呼吸回路側プラグ２Ｂを挿入し、開口端部３３Ｂを押し広げて開口端部３３Ｂを拡径して、呼吸用温湿度交換器２の軸線を筒状被覆部材３２の軸線に沿わせるようにして、呼吸用温湿度交換器２を開口端部３３Ｂから筒状被覆部材３２の内部に収納する。
呼吸回路側接続部Ｌに固定可能となったら、弾性収縮部材４０を押し広げるのを止めて、開口端部３３Ｂを呼吸回路側接続部Ｌに固定する。
【００４６】
次に、患者側プラグ２Ａに気管内チューブ５を挿入するとともに、患者側接続部Ｋと開口端部３３Ａの位置を合わせる。
次いで、巾着３５の調整部３７Ａを引っ張って、開口端部３３Ａを縮径することで、筒状被覆部材３２の開口端部３３Ａをすぼめて患者側接続部Ｋに固定して図７に示したように構成する。
【００４７】
第３の実施の形態に係るジャケット３０によれば、筒状被覆部材３２から構成され、胴部３２Ａが呼吸用温湿度交換器２のハウジング３より大きく形成されているので、呼吸用温湿度交換器２を収納し易い。また、筒状被覆部材３２が２重構造３２Ｂとされており、呼吸用温湿度交換器２と筒状被覆部材３２との間に確実に間隙を設けて空間を形成させ易い。
【００４８】
また、開口端部３３Ａに開口端部３３Ａを縮径するための巾着３５が設けられているので、呼吸用温湿度交換器２を患者側接続部Ｋ及び呼吸回路側接続部に容易に固定することができる。
また、開口端部３３Ｂに開口端部３３Ｂを縮径するための弾性収縮部材４０が設けられているので、呼吸用温湿度交換器２を呼吸回路側接続部Ｌに容易に固定することができる。
【００４９】
なお、上記実施の形態においては、開口端部３３Ａに巾着３５が設けられ、開口端部３３Ｂに弾性収縮部材４０が設けられる場合について説明したが、それぞれの開口端部３３Ａ、３３Ｂに巾着と弾性収縮部材のいずれを設けるかについては任意で定めることができる。
【００５０】
図８は、呼吸用温湿度交換器２の温度調整構造１に用いる第４の実施形態に係るジャケット５０を示す図である。
ジャケット５０は、呼吸用温湿度交換器２のハウジング３が収納自在とされるように、ハウジング３よりも大きなサイズに成形された被覆部材５２と、患者側プラグ２Ａを挿入状態で固定するための固定リング５５と、呼吸回路側プラグ２Ｂを挿入状態で固定するための固定リング５７とを備えている。
【００５１】
被覆部材５２は、例えば、厚さ１０〜２００μｍのポリエチレン製シートを成形した変形自在とされるものであり、被覆部材５２の胴部５２Ａには、呼吸用温湿度交換器２を出し入れするための開口部５８が形成され、かつ開口部５８を閉塞するためのファスナー又は面ファスナー等（閉塞手段）５９が設けられている。
また、被覆部材５２は、呼吸用温湿度交換器２のハウジング３がジャケット５０の内部に配置されたときに、ハウジング３と被覆部材５２との間に間隙が形成され、空間が形成されるように、内周がハウジング３よりもり大きく成形され、また、２重構造５２Ｂにより空気を保持することで保温性が向上されている。
【００５２】
固定リング５５、５７は、前述の固定リング２５と同様に構成されており、被覆部材５２の両端に配置されている。
ジャケット５０は、呼吸用温湿度交換器２が被覆部材５２の内部に収納された状態で、呼吸用温湿度交換器２とジャケット５０との間には間隙ができて、空間が形成されるようになっている。
なお、被覆部材５２は、例えば、厚さ１０〜２００μｍのポリエチレン等で製作して形状を保持し易くしてもよい。
【００５３】
以下に、このジャケット５０の使用方法について説明する。
まず、ジャケット５０の閉塞手段５９を解除して開口部５８を押し広げ、開口部５８から呼吸用温湿度交換器２を入れて被覆部材５２の内部に収納する。
次に、呼吸器側コネクタ７Ａを固定リング５７に挿入して固定し、患者側プラグ２Ａを固定リング５５に、呼吸回路側プラグ２Ｂを呼吸器側コネクタ７Ａに挿入することで呼吸用温湿度交換器２をジャケット５０に固定し、その後、患者側プラグ２Ａに気管内チューブ５を挿入する。
次いで、閉塞手段５９を閉塞して、開口部５８を閉じることで、ジャケット５０を気密にして、温度調整構造１を構成する。
【００５４】
第４の実施の形態に係るジャケット５０によれば、被覆部材５２が呼吸用温湿度交換器２のハウジング３よりも大きなサイズに成形され、胴部５２Ａに呼吸用温湿度交換器２を出し入れするための開口部５８が形成されているので、呼吸用温湿度交換器２を容易に出し入れすることが可能である。
【００５５】
また、被覆部材５２には、患者側プラグ２Ａ及び呼吸回路側プラグ２Ｂを挿入状態で固定するための固定リング５５、５７が設けられているので、呼吸用温湿度交換器２の固定を容易かつ確実に行なうことが可能である。
また、被覆部材５２が２重構造５２Ｂとされているので、熱の出入りが抑制され、ジャケット内の温度を維持し易い。
また、固定リング５５、５７に温度調整用の流体を導入、排出するための導入口を設けることもできる。
また、被覆部材５２の保形性を向上させて、呼吸用温湿度交換器２と被覆部材５２の間の間隙が確実に確保されるようにしてもよい。
また、被覆部材５２を透明として、内部を観察し易くしてもよい。
【００５６】
上記実施の形態の呼吸用温湿度交換器２の保温構造及びジャケット１０、３０、５０は、外気の低温又は高温に対してジャケット内の温度を維持する概念である。
また、上記第１から第４の実施の形態において、被覆部材１２、３２、５２が２重構造である場合について説明したが、被覆部材１２、３２、５２を１重構造とすることも可能である。
また、温度調整用の流体の導入口については、設けても設けなくてもよいものであり、また、導入口の形態、位置は任意に設定することが可能であり、被覆部材１２、３２、５２の本体に導入口を配置することも可能である。
【図面の簡単な説明】
【００５７】
【図１】本発明に係る呼吸用温湿度交換器の温度調整構造を示す図である。
【図２】本発明に係る第１の実施の形態のジャケットを示す図である。
【図３】本発明に係る第１の実施の形態のジャケットを用いた呼吸用温湿度交換器の温度調整構造を示す図である。
【図４】本発明に係る第２の実施の形態を示す図であり、（ａ）は、ジャケットを、（ｂ）は、固定リングの一例を示す断面図である。
【図５】本発明に係る第２の実施の形態のジャケットを用いた呼吸用温湿度交換器の温度調整構造を示す図である。
【図６】本発明に係る第３の実施の形態のジャケットを示す図である。
【図７】本発明に係る第３の実施の形態のジャケットを用いた呼吸用温湿度交換器の温度調整構造を示す図である。
【図８】本発明に係る第４の実施の形態のジャケットを示す図である。
【図９】本発明に係る第４の実施の形態のジャケットを用いた呼吸用温湿度交換器の温度調整構造を示す図である。
【符号の説明】
【００５８】
１    温度調整構造
１Ａ、１０、３０、５０  ジャケット
２    呼吸用温湿度交換器
３    ハウジング
２Ａ  患者側プラグ
２Ｂ  呼吸回路側プラグ
１２、３２、５２  被覆部材
１４、３３Ａ、３３Ｂ  開口端部
２５、５５、５７  固定リング
１６、２０、３５    巾着手段
４０  弾性収縮部材
５８  開口部
５９  閉塞手段
Ｋ    患者側接続部
Ｌ    呼吸回路側接続部
【図１】
2008006067.tif 000003
【図２】
2008006067.tif 000004
【図３】
2008006067.tif 000005
【図４】
2008006067.tif 000006
【図５】
2008006067.tif 000007
【図６】
2008006067.tif 000008
【図７】
2008006067.tif 000009
【図８】
2008006067.tif 000010
【図９】
2008006067.tif 000011